(57)【要約】  本発明は、バッキングプレート（１４）上に配置された弓形ハンドル（２）を有するスポンジボード（１）から水を搾り出すための装置であって、前記装置は、有孔底板（３）と、押圧部材（４）と、を備え、前記有孔底板（３）は、前記有孔底板の上面（６）から水を排出させるための複数の排水口（５）を備え、更に前記押圧部材（４）は、第１の端部（７）と、第２の端部（８）と、少なくとも１つの押圧面（１１）と、凹部（９）と、を備え、前記凹部は、前記有孔底板（３）の前記上面（６）に前記スポンジボード（１）が配置されたときに弓形ハンドル（２）を収容できるように配置されており、前記第１の端部（７）は、少なくとも１つのヒンジ（１２）によって前記有孔底板に旋回可能に連結されており、前記第２の端部（８）は、前記第１の端部から離隔しており、且つプッシュハンドル（１０）を備えている。更に、前記押圧部材（４）は第１のポジションとの間で旋回可能であり、更に、前記スポンジボード（１）は前記有孔底板（３）の前記上面（６）と第２のポジション上に配置され、前記少なくとも１つの押圧面（１１）は前記有孔底板（３）の前記上面（６）に対して平行且つ所定の距離にあり、前記装置は、前記第２のポジションにおいて、前記少なくとも１つの押圧面（１１）の前記所定の距離を変更する手段を備えている。
2018536457.tif 000002
【特許請求の範囲】
【請求項１】
バッキングプレート（backing plate）（１４）上に配置された弓形ハンドル（bow handle）（２）を有するスポンジボード（１）から水を搾り出すための装置であって、前記装置は、有孔底板（perforated base plate）（３）と、押圧部材（pressure element）（４）と、を備え、
-  前記有孔底板（３）は、前記有孔底板の上面（６）から水を排出させるための複数の排水口（drainage openings）（５）を備え、更に
-  前記押圧部材（４）は、第１の端部（first end）（７）と、第２の端部（second end）（８）と、少なくとも１つの押圧面（pressure surface）（１１）と、凹部（recess）（９）と、を備え、前記凹部は、前記有孔底板（３）の前記上面（６）に前記スポンジボード（１）が配置されたときに弓形ハンドル（２）を収容できるように配置されており、前記第１の端部（７）は、少なくとも１つのヒンジ（１２）によって前記有孔底板に旋回可能に連結されており、前記第２の端部（８）は、前記第１の端部から離隔しており、且つプッシュハンドル（push handle）（１０）を備え、
更に、前記押圧部材（４）は第１のポジション（first position）との間で旋回可能であり、更に、前記スポンジボード（１）は前記有孔底板（３）の前記上面（６）と第２のポジション（second position）上に配置され、前記少なくとも１つの押圧面（１１）は前記有孔底板（３）の前記上面（６）に対して平行且つ所定の距離（predetermined distance）にあり、前記装置は、前記第２のポジションにおいて、前記少なくとも１つの押圧面（１１）の前記所定の距離を変更する手段を備えることを特徴とする装置。
【請求項２】
前記第２のポジションにおいて、前記少なくとも１つの押圧面（１１）の前記所定の距離を変更する前記手段は、前記押圧部材（４）上に、少なくとも１つの取り換え可能なアダプタ（interchangeable adaptor）（１３）を備えており、当該取り換え可能なアダプタは、前記少なくとも１つの押圧面（１１）を有することを特徴とする請求項１に記載の装置。
【請求項３】
前記取り換え可能なアダプタ（１３）は、前記少なくとも１との押圧面（１１）を有する第１のプレート部材（plate element）（１５）を備え、前記第１のプレート部材の厚さは、前記所定の距離のサイズを決定できることを特徴とする請求項２に記載の装置。
【請求項４】
前記少なくとも１つの取り換え可能なアダプタ（１３）は、互いに連結（interconnected）された第１のプレート部材（１５）と第２のプレート部材（１６）と、を備え、各プレート部材（１５，１６）は押圧面（１１）を有し、前記第１及び前記第２のプレート部材は平行で異なる厚さを有しており、前記押圧部材（４）が前記第２のポジションにある場合、前記少なくとも１つの押圧面（１１）と前記有孔底板の前記上面（６）との間に、第１及び第２の所定の距離を与えるために、前記有孔底板（３）の前記上面（６）に、前記第１及び前記第２のプレート部材の前記押圧面（１１）が対向した状態で、前記取り換え可能なアダプタ（１３）が配置されていることを特徴とする請求項２又は３に記載の装置。
【請求項５】
前記取り換え可能なアダプタ（１３）は前記押圧部材上に狭着（clipped）させることによって、前記押圧部材上に解放可能に固定されるように、前記第１のプレート部材（１５）と前記第２のプレート部材（１６）は連結部材（connecting element）（１７）によって互いに連結されていることを特徴とする請求項４に記載の装置。
【請求項６】
前記取り換え可能なアダプタ（１３）は、前記押圧部材（４）にさらなる剛性（increased stiffness）を付与できることを特徴とする請求項２乃至５のいずれか１項に記載の装置。
【請求項７】
前記押圧部材（４）は、  記少なくとも１つのヒンジの内部バネによって、前記第１のポジションに向かってプレテンション（pretensioned）がかけられていることを特徴とする請求項１乃至６のいずれか１項に記載の装置。
【請求項８】
前記有孔底板（３）は、前記有孔底板上で前記スポンジボードを中心位置に調整（centering）するためのガイドレール（guide rails）（１８）を備えていることを特徴とする請求項１乃至７のいずれか１項に記載の装置。
【請求項９】
前記押圧部材（４）は、前記有孔底板（３）に旋回可能に連結された少なくとも１つのロッキングアーム（locking arm）（１９）によって前記第２のポジションにロック（locked）されていることを特徴とする請求項１乃至８のいずれか１項に記載の装置。
【請求項１０】
前記押圧部材（４）は、前記プッシュハンドル（１０）によって互いに連結された２本の平行アーム（parallel arms）（２０）を備え、前記凹部（９）は、前記２本の平行アームの間に形成された長手方向の開口部（longitudinal opening）に設けられていることを特徴とする請求項１乃至９のいずれか１項に記載の装置。
【請求項１１】
前記少なくとも１つの取り換え可能なアダプタ（１３）は、前記平行アーム上に配置されていることを特徴とする請求項９に記載の装置。
【請求項１２】
前記プッシュハンドル（１０）は弓形状（bow shaped）になっており、前記有孔底板から離れるように延在する上部円形表面を有することを特徴とする請求項１乃至１１のいずれか１項に記載の装置。
【請求項１３】
前記押圧部材（４）は、前記第２のポジションを越えて旋回するのを防止するための停止手段を備えることを特徴とする請求項１乃至１２のいずれか１項に記載の装置。
【請求項１４】
前記少なくとも１つの押圧面（１１）において前記所定の距離を前記第２のポジションで変化させる前記手段は、前記有孔底板（３）に対して前記少なくとも１つのヒンジ（１２）の高さを前記第２のポジションで上昇又は下降（raising or lowering）させる手段を備えることを特徴とする請求項１乃至１３のいずれか１項に記載の装置。
【発明の詳細な説明】
【技術分野】
【０００１】
本発明は、スポンジボード（sponge boards）の分野に関し、より詳細には、スポンジボードから水を搾り出すための装置に関する。
【背景技術】
【０００２】
スポンジボードは、グラウト残渣（grout residues）を除去するための洗浄や、目地（joints）及び漆喰（plaster）を均一な仕上げに施すなど、多くのタイル張り（tiling）や漆喰塗り(plastering)処理（operations）のために一般的に使用されている。これらの処理では、過剰に目地や漆喰が洗い流されたり、目地の中のグラウトが希釈されたりすることを避けるために、スポンジボード（或いはスポンジフロート（sponge float））から砂やグラウト残渣等を含む余分な水を頻繁に除去しなければならない。異なるタイプ（type）の処理で使用されるスポンジボードの主な違いは、スポンジの構造とサイズと厚みである。
【０００３】
現在、スポンジボードから水を除去する最も一般的な方法は、多数のローラーを備えたバケツを使用して、当該ローラー上にスポンジボードを約５〜８回繰り返し動作させ、スポンジから搾り出した水をバケツの中に入れる方法である。そのようなバケツは、一般にウォッシュボーイ（washboy）と呼ばれている。水の搾り出しを頻繁に繰り返す作業は、このタイプの作業を行う人に、特に手首、腕及び肩に負担をかける。
【０００４】
特許文献１には、スポンジボードから水を搾り出す代替の方法及び装置が記載されている。この装置は、水がバケツ内に排出されるように、有孔板（perforated plate）に向かってスポンジボードを搾り出せるように構成されたヒンジ付き（hinged）押圧部材（pressure element）を備えている。押圧部材は、有孔板と一定の距離を置いて有孔板と平行になっている。したがって、装置は、スポンジボードを設定された厚さで均一に搾り出すことができる。より厚いかより薄いスポンジボードは、均一に水を絞り出すことができない。これは、要求された距離（required distance）において押圧部材と有孔板とが平行でなく、更にスポンジボード内に残っている水が均一に分布していないためである。
【０００５】
したがって、先行技術の欠点の少なくともいくつかを回避することができる、スポンジボードから水を搾り出すための装置が要求されている。
【先行技術文献】
【特許文献】
【０００６】
【特許文献１】独国実用新案第２０１１７５８１号
【発明の概要】
【発明が解決しようとする課題】
【０００７】
本発明は、スポンジボードから水を搾り出すための装置を提供する。装置は、添付の特許請求の範囲及び以下に定義される：
第１の実施形態において、本発明は、バッキングプレート（backing plate）上に配置された弓形ハンドル（bow handle）を有するスポンジボードから水を搾り出すための装置であって、装置は、有孔底板（perforated base plate）と、押圧部材（pressure element）と、を備え、
-  有孔底板は、有孔底板の上面から水を排出させるための複数の排水口（drainage openings）を備え、更に
-  押圧部材は、第１の端部（first end）と、第２の端部（second end）と、少なくとも１つの押圧面（pressure surface）と、凹部（recess）と、を備え、凹部は、有孔底板の上面にスポンジボードが配置されたときに弓形ハンドルを収容できるようになっており、第１の端部は、少なくとも１つのヒンジによって有孔底板に旋回可能に連結されており、第２の端部は、第１の端部から離隔しており、且つプッシュハンドル（push handle）を備え、
更に、押圧部材は第１のポジション（first position）との間で旋回可能であり、更に、スポンジボードは有孔底板の上面と第２のポジション（second position）上に配置され、少なくとも１つの押圧面は有孔底板の上面に対して平行且つ所定の距離（predetermined distance）にあり、装置は、第２のポジションにおいて、少なくとも１つの押圧面（１１）の所定の距離を変更できる手段を備えている。
【０００８】
複数の排水口は、水に加え、砂とグラウト残渣と、を排出できる大きさであることが望ましい。
【０００９】
本発明に係る装置の更なる実施形態では、第２のポジションの少なくとも１つの押圧面の所定の距離を変更できる手段は、押圧部材上の少なくとも１つの取り換え可能なアダプタ（interchangeable adaptor）を備えており、当該取り換え可能なアダプタは、少なくとも１つの押圧面を有している。
【００１０】
本発明に係る装置の更なる実施形態では、取り換え可能なアダプタは、少なくとも１つの押圧面を有する第１のプレート部材（plate element）を備え、第１のプレート部材の厚さは、所定の距離のサイズを決定できる。
【００１１】
本発明に係る装置の更なる実施形態では、少なくとも１つの取り換え可能なアダプタは、互いに連結（interconnected）された第１のプレート部材と第２のプレート部材と、を備え、各プレート部材は押圧面を有し、第１及び第２のプレート部材は平行で異なる厚さを有しており、押圧部材が第２のポジションにある場合、少なくとも１つの押圧面と有孔底板の上面との間に、第１及び第２の所定の距離を与えるために、有孔底板の上面に、第１及び第２のプレート部材の押圧面が対向した状態で、取り換え可能なアダプタが配置されている。
【００１２】
本発明に係る装置の更なる実施形態では、取り換え可能なアダプタが押圧部材上に解放可能に固定させ、好ましくは押圧部材上に狭着（clipped on）させるように第１のプレート部材と、第２のプレート部材と、を連結部材（connecting element）によって互いに連結されている。
【００１３】
本発明に係る装置の更なる実施形態では、取り換え可能なアダプタは、押圧部材にさらなる剛性（increased stiffness）を付与することができる。
【００１４】
本発明に係る装置の更なる実施形態では、押圧部材は、第１のポジションに向かってプレテンション（pretensioned）がかけられている。押圧部材は、バネによって、少なくとも１つのヒンジの内部バネ（internal spring）によってプレテンションがかけられているのが望ましい。
【００１５】
本発明に係る装置の更なる実施形態では、有孔底板は、有孔底板上でスポンジボードを中心位置調整（centering）するためのガイドレール（guide rails）を備えている。
【００１６】
本発明に係る装置の更なる実施形態では、押圧部材は、有孔底板又はガイドレールに旋回可能に連結された少なくとも１つのロッキングアーム（locking arm）によって第２のポジションにロック（locked）できるのが望ましい。
【００１７】
本発明に係る装置の更なる実施形態では、押圧部材は、プッシュハンドルによって互いに連結された２本の平行アーム（parallel arms）を備え、凹部は、２本の平行アームの間に形成された長手方向開口部（longitudinal opening）に設けられている。
【００１８】
本発明に係る装置の更なる実施形態では、少なくとも１つの取り換え可能なアダプタは、平行アーム上に配置されている。
【００１９】
本発明に係る装置の更なる実施形態では、プッシュハンドルは弓形状（bow shaped）になっており、有孔底板から離れるように延びている上部の丸い表面を有している。
【００２０】
本発明に係る装置の更なる実施形態では、装置は、押圧部材が第２のポジションを越えて旋回するのを防止するための停止手段を備えている。停止手段は、例えば、有孔底板上に配置された少なくとも１つの停止ブロック（stopping block）と、押圧部材上に配置された少なくとも１つの協働する停止ブロック又は停止面（stopping surface）と、を備えることができる。
【００２１】
本発明に係る装置の更なる実施形態では、少なくとも１つの押圧面の所定の距離を第２のポジションで変化させる手段は、有孔底板に対して少なくとも１つのヒンジの高さを第２のポジションで上昇（raising）又は下降（lowering）させる手段を備えている。このような手段は、所定の距離を変化させるために伸びる（extended）又は縮む（shortened）ことができる、少なくとも１つのヒンジと有孔底板との間にあらゆるタイプの連結を有している。
【００２２】
「第２のポジションを越えて旋回する」とは、少なくとも１つの押圧面は、第２のポジションにある有孔板よりも近接してないことを意図する。
【００２３】
図面を参照しながら、本発明を更に説明する。
【図面の簡単な説明】
【００２４】
【図１】本発明に係る実施形態の斜視図である。
【図２】図１の実施形態の異なる角度から見た斜視図である。
【図３】図１の実施形態にスポンジボードを備えた状態を示す斜視図である。
【図４】図１の実施形態にスポンジボードを備えた状態を示す斜視図である。
【図５】図１の実施形態で使用する２つの取り換え可能なアダプタの斜視図である。
【図６】本発明に係る実施形態の斜視図である。
【図７】本発明に係る実施形態の斜視図である。
【図８】洗浄バケツの上に図１の実施形態を配置させた状態を示す斜視図である。
【図９】ヒンジの高さを変更するための手段を備える、本発明に係る実施形態の斜視図である。
【発明を実施するための形態】
【００２５】
本発明に係る装置の好ましい実施形態を図１に示す。装置は、スポンジボードから水を均一に搾り出すのに適している。スポンジボード１は、スポンジ２６と、スポンジが固定されたバッキングプレート１４と、ハンドル２と、を備えている。ハンドルは、通常、弓形状になっており、バッキングプレートに取り付けられている。装置の設計によってハンドルは、弓形状にする代わりにバッキングプレート（図示せず）に旋回可能に連結された軸（shaft）を備えてもよい。
【００２６】
装置は、２つの押圧面１１を有する押圧部材４に、ヒンジ１２によって旋回可能（pivotably）に連結された有孔底板３を備えている。有孔底板は、スポンジボード１から水、砂及びグラウト残渣を底板の上面６から排出できる複数の排水口５を備えている。装置使用中は、水を集めるために適当な洗浄バケツ（図８参照）の上に配置される。特定の実施形態では、有孔底板は、装置を適切なバケツの上又は中に配置するためのフランジ（flange）２１を備えている。更に、フランジは、有孔底板３に十分な剛性を確保（ensure）されており、すなわち使用中に折れ曲ることはない。
【００２７】
押圧部材４は、プッシュハンドル１０によって互いに連結された２本の平行アーム２０を備えている。２本の平行アームは、それらの間に開口部（opening）又は凹部（recess）９が形成されるように互いから離間するように配置されている。プッシュハンドルの反対側の一端部７（すなわち第１の端部）には、ヒンジ１２によって平行アームが有孔底板に連結されている。各々の平行アーム２０は、押圧面１１（すなわち所定の距離を変更する手段）を特徴付ける（featuring）取り換え可能なアダプタ１３を備える（図５も参照）。この実施形態では、取り換え可能なアダプタ１３は、平行アーム上に狭着できるように長手方向部材（longitudinal element）として設計されている。
長手方向部材は、第３のプレート部材１７（すなわち連結部材（connecting element））によって互いに連結された第１のプレート部材１５と第２のプレート部材１６と、を有している。平行アーム２０上に狭着されると、第１のプレート部材１５又は第２のプレート部材１６の片側に押圧部材４の押圧面１１が構成される。第１のプレート部材１５の厚さは、第２のプレート部材１６の厚さよりも薄い。平行アーム上にアダプタを狭着させることによって、更に、押圧部材の曲げ剛性を改善することができる。要求される所定の距離を有する押圧面を得るのに適したアダプタの他の解決策は、すなわち所定の距離を変化させることを可能にするには、本開示に基づいて当業者には明らかであることに留意されたい。更に、他の実施形態では、予め定められた距離は、取り換え可能なアダプタを使用せずに、例えば、有孔底板に対してヒンジ１２の高さを上げる及び/又は下げる手段によって（すなわち所定の距離を）変化させても良い（図９及び以下の説明を参照）。
【００２８】
押圧部材は、第１のポジションと第２のポジションとの間で旋回（pivot）できる。第１のポジションでは、押圧部材４は有孔底板３から離れて延在するスポンジボード１を当該板の上面に配置できる（図１〜３を参照）。第２のポジションでは、図４に示すように、ロッキングアーム１９が係合（engaged）されてない状態では、押圧面１１が有孔板の上面６と平行になるように押圧部材が配置される。第２のポジションでは、押圧面は有孔底板から所定の距離離れている。所望の所定の距離の寸法（size）は、使用されるスポンジボード１のタイプによって定まる。例えば、タイルを洗浄するための典型的なスポンジボードでは、バッキングボードの厚さは同じままで、スポンジ２６は、３０ｍｍ又は３５ｍｍの厚さを有している。第２のポジションにおける所定の距離が正しいスポンジボードの厚さに調整されない場合は、不均等な圧力がスポンジに加えられるため、スポンジの部分に過剰な水が残る。特定のスポンジボード用の押圧面１１が得られる適切な第１のプレート部材１５又は第２のプレート部材１６を選択することにより、スポンジ上の正確な所定の距離及び均等な圧力を実現できる。ほんの一例であるが、タイルを洗浄するためのスポンジボードは、一般に、３０ｍｍの厚さを有するスポンジ２６と、バッキングプレートの厚さに約９ｍｍの所定の距離を加えたものが要求されるのに対して、スポンジの厚さが３５ｍｍある同様のスポンジボードは、バッキングプレートの厚さに約１２ｍｍより大きな所定の距離を加えたものが要求される。更に、漆喰仕上げ（plaster finishing）のような他のタイプの処理を行うスポンジボードは、厚さを約１０ｍｍから４０ｍｍ変えることが要求されるので、それに応じて要求される所定の距離も変化する。更に、要求される所定の距離は、スポンジ材料のタイプ、すなわちポンジの圧縮性及びバッキングプレートの厚さにも依存する。
【００２９】
有孔底板上に配置されたガイドレール１８は、スポンジボード１が有孔底板上の中心に位置することを確実（ensure）にする。多くのスポンジボード１において、ハンドル２とバッキングプレート１４との間の連結部に十分な連結強度を確保するために、バッキングプレート上に隆起部（raised section）を備えている。スポンジボードが有孔底板の中心から離れすぎて配置されていると、押圧面１１の一部が第２のポジションで隆起部分に押し付けられ、スポンジに不均等な圧力がかかる場合がある。
【００３０】
ヒンジ１２の少なくとも１つは、押圧部材を第１のポジションに動かす方向にプレテンションがかけられた内部バネ（internal spring）を備えている。このようにすれば、装置の使用者は使用するたびに手動で押圧部材を持ち上げる必要がなくなる。バネはヒンジの内側に配置されているので、スポンジボードから搾り出された水中の砂及びグラウト残渣による摩耗から保護される。上述のように、装置は洗浄バケツ上に配置されることを意図している（図８参照）。そのような洗浄バケツ２２は、バケツを運ぶためのハンドル２３を有している。装置が第１のポジションにあるとき、バケツのハンドル２３は、有孔底板３から離れるように延在する押圧部材４の上を通過できるように、当該バケツよりも更に上まで伸ばさなければならない。このようにハンドルを伸ばすことを避けるために、押圧部材４は、ロッキングアーム１９を用いて第２のポジションにロックさせてもよい（図４及び図８を参照）。ロッキングアームは、ガイドレール又は有孔底板に旋回可能に連結されている。押圧部材を第２のポジションにロックできるという更なる利点は、スポンジボードの弓形ハンドルが装置自体を運搬用のハンドルとして機能し得ることである。
【００３１】
押圧部材の第２の端部８のプッシュハンドル１０は弓形状になっており、有孔底板から離れるように延びている上部の丸い表面を有している。第２のポジションにおいてプッシュハンドルと有孔底板との間に十分な隙間を確保することにより、更に装置は、ポールハンドル（pole handle）がスポンジボードのバッキングプレートに旋回可能に連結されている限り、ポールハンドルを備えるスポンジボードにも使用できる。
【００３２】
装置は、押圧部材４が第２のポジションを越えて旋回するのを防止するための停止手段(stopping means)２４，２５を更に備えることができる（図６及び図７参照）。この実施形態では、停止手段は、有孔底板３上に配置された停止ブロック２４を有し、この場合、停止ブロック２４はガイドレール１８に一体化され、協働する（cooperative）停止ブロック２５は、各平行アーム（parallel arm）２０上に配置される。押圧部材が第２のポジションを越えて旋回するのを防止することによって、取り換え可能なアダプタ１３が要求されている正確な所定の距離を備えてなくても、すなわちスポンジが、アダプタによってもたらされる特定の所定の距離に適したスポンジより薄くても、均等な圧力がスポンジボード上に得られる。これは、非標準のスポンジボードが使用される場合には有利であるが、主な利点は、ロッキングアームを用いて第２のポジションにロックされたときに停止手段が押圧部材４を固定するのを助けることである。ヒンジの高さを変化（varied）／変更（changed）できる実施形態（すなわち、所定の距離を変更する手段）を図９に示す。図９は、ヒンジ１２の高さの上げ下げする手段をよりわかりやすくする拡大切抜図である。この実施形態では、ヒンジは、ネジ／ボルト２８を用いて有孔底板３上のフランジ２７に連結されている。ヒンジの高さ、ひいては押圧部材４の押圧面１１と有孔底板３とが所定の距離で平行になるように、ネジ／ボルトは、フランジ内の垂直に延びる長手方向開口部（longitudinal openings）２９を介して締め付けられると、垂直方向（水平に配置された底板３に対して垂直）に変化できる。ヒンジ１２の高さを変化することができる更なる実施形態は、本開示に基づいて当業者には明らかであろう。このような実施形態は、要求された高さ（required level）でロックされる伸縮アーム（telescopic arms）（例えば、ヒンジを連結するアーム部３０が様々な要求の高さまで伸長可能である）のような、ヒンジと有孔底板との間の任意のタイプの垂直方向に伸長可能な連結と、有孔底板上のフランジにおいては、図１に示されている垂直方向に延びる長手方向開口部２９の各々が図９に示すように、異なる所定の距離に対応する高さに配置された複数の開口部と類似していることが特徴づけられる。
【００３３】
説明した全ての実施形態は、スポンジボードから水を搾り出す動作が単一の動きしか要求されない装置であり、その動作は、スポンジボードの長さに亘って均等な圧力を与えることが可能であり、且つスポンジの一部に余分な水が存在することなく、動作が繰り返されるたびに正しい量の水がスポンジから確実に搾り出される。
【図１】
2018536457.tif 000003
【図２】
2018536457.tif 000004
【図３】
2018536457.tif 000005
【図４】
2018536457.tif 000006
【図５】
2018536457.tif 000007
【図６】
2018536457.tif 000008
【図７】
2018536457.tif 000009
【図８】
2018536457.tif 000010
【図９】
2018536457.tif 000011
【国際調査報告】
2018536457.tif 000012
2018536457.tif 000013